(57)【要約】【課題】煩雑な工程を要することなく、感染力の強いウィルスや細菌を殺菌することができるマットレスのクリーニング方法を提供する。【解決手段】本発明のマットレスのクリーニング方法は、マットレスの表面を掃除機で吸引する第１工程（Ｓ１００）と、前記マットレスに安定型次亜塩素酸ナトリウムを散布する第２工程（Ｓ２００）と、前記マットレスに安定型次亜塩素酸ナトリウムをスチーム噴射する第３工程（Ｓ３００）と、マットレスに洗剤を散布し、汚水を吸引する第４工程（Ｓ４００）と、前記マットレスに安定型次亜塩素酸ナトリウムをスチーム噴射し、汚水を吸引する第５工程（Ｓ５００）と、前記マットレスを乾燥させる第６工程（Ｓ６００）と、からなることを特徴とする。【選択図】      図１
2015104714.tif 000002
【特許請求の範囲】
【請求項１】
マットレスの表面を掃除機で吸引する第１工程と、
前記マットレスに安定型次亜塩素酸ナトリウムを散布する第２工程と、
前記マットレスに安定型次亜塩素酸ナトリウムをスチーム噴射する第３工程と、
マットレスに洗剤を散布し、汚水を吸引する第４工程と、
前記マットレスに安定型次亜塩素酸ナトリウムをスチーム噴射し、汚水を吸引する第５工程と、
前記マットレスを乾燥させる第６工程と、からなることを特徴とするマットレスのクリーニング方法。
【発明の詳細な説明】
【技術分野】
【０００１】
本発明は、煩雑な工程を要することなく、感染力の強いウィルスや細菌を殺菌することができるマットレスのクリーニング方法に関する。
【背景技術】
【０００２】
ベッドのマットレスは、法定上では家具としてされているため、布団やシーツ、ベットパッドのように、クリーニング業法においてクリーニングの対象に定められていない。そのため、学校や病院、ホテルなどにおいては、マットレスのクリーニングを定期的に行う義務を負っているわけではない。しかしながら、長期間使用しているベッドのマットレスは、汚れや細菌の増殖の原因となる汗や嘔吐、汚物などの汚れで不衛生な状態のまま、使い続けざるを得ない状況もあり、様々な病気に感染する可能性があった。
【０００３】
そこで、マットレスのクリーニングを、簡便にベッドの設置現場で行うようにする技術がこれまで提案されている。
【０００４】
例えば、特許文献１（特開２０１３−５９７１３号公報）には、ベッドのある場所において、そのベッドのスプリングマットレスの表面を作業者が持ち運び可能な吸引装置で吸引して塵・埃を除去する清掃工程と、塵・埃が除去されたスプリングマットレスの表面に洗浄剤を散布する洗浄剤散布工程と、洗浄剤が散布されたスプリングマットレスの表面に作業者が持ち運び可能なスチーム洗浄機でスチームを噴射するスチーム噴射工程と、スチームが噴射されたスプリングマットレスの表面に振動を繰り返し加えて汚れを分解する加振工程と、加振されたスプリングマットレスの表面を作業者が持ち運び可能な汚水吸引装置で吸引して汚水を除去する汚水除去工程と、汚水が除去されたスプリングマットレスの表面の水分を拭き取る拭取り工程と、拭き取られたスプリングマットレスの表面に作業者が持ち運び可能な乾燥装置で赤外線を照射して乾燥する乾燥工程とを順に行うことを特徴とする、スプリングマットレスの現場クリーニング方法が開示されている。
【特許文献１】特開２０１３−５９７１３号公報
【発明の概要】
【発明が解決しようとする課題】
【０００５】
しかしながら、特許文献１記載の方法では、煩雑な工程が多くなると共に、必ずしも消毒が完全ではない、という問題があった。
【課題を解決するための手段】
【０００６】
この発明は、上記課題を解決するものであって、請求項１に係る発明は、マットレスの表面を掃除機で吸引する第１工程と、前記マットレスに安定型次亜塩素酸ナトリウムを散布する第２工程と、前記マットレスに安定型次亜塩素酸ナトリウムをスチーム噴射する第３工程と、マットレスに洗剤を散布し、汚水を吸引する第４工程と、前記マットレスに安定型次亜塩素酸ナトリウムをスチーム噴射し、汚水を吸引する第５工程と、前記マットレスを乾燥させる第６工程と、からなることを特徴とする。
【発明の効果】
【０００７】
本発明に係るマットレスのクリーニング方法によれば、前記マットレスに安定型次亜塩素酸ナトリウムをスチーム噴射する安定型次亜塩素酸ナトリウムスチーム噴射工程を有しており、このような本発明に係るマットレスのクリーニング方法によれば、煩雑な工程を要することなく、感染力の強いウィルスや細菌を殺菌することができる。
【図面の簡単な説明】
【０００８】
【図１】本発明の実施形態に係るマットレスのクリーニング方法の工程を示す図である。
【図２】作業者が高温スチーム洗浄機２０を用いる様子を示す図である。
【図３】本発明の実施形態に係るマットレスのクリーニング方法の乾燥工程を示す図である。
【発明を実施するための形態】
【０００９】
以下、本発明の実施の形態を、図面を参照しつつ説明する。図１は本発明の実施形態に係るマットレスのクリーニング方法の工程を示す図である。
【００１０】
本発明に係るマットレスのクリーニング方法を実施するに当たっては、学校や病院、ホテル、自宅などで用いられたマットレス１０を、まず、作業者が作業しやすい高さに維持するマットレス設置台１５に載置する。なお、本発明に係るマットレスのクリーニング方法は、マットレス１０の他、ソファ、寝具全般、絨毯、車両シートにも応用することができる。
【００１１】
次に、ステップＳ１００として、不図示の掃除機などにより、マットレス１０の表面の汚れ及び埃除去の吸引工程を実施する。
【００１２】
続いて、ステップＳ２００として、マットレス１０の表面へ安定型次亜塩素酸ナトリウムを散布する工程を行い、これにより、マットレス１０の表面層を除菌する。本工程及び以下の工程で用いる安定型次亜塩素酸ナトリウムとしては、株式会社クレスト製のウィルバスＳを用いると好適である。この安定型次亜塩素酸ナトリウムの散布やスチーム噴射により、マットレス１０の表面及び内部まで短時間で感染力の強いウィルスや細菌を殺菌することができる。
【００１３】
なお、安定型次亜塩素酸ナトリウムを用いる工程において、散布したり、スチーム噴射したりする薬剤として、殺菌力だけを考慮した場合は、従来の次亜塩素酸ナトリウムを使用することも可能であるが、本発明のように、安定型次亜塩素酸ナトリウムを使用することで、従来の次亜塩素酸ナトリウムが有している特性である、漂白性、金属腐食性（マットレス内部の金属腐食）、塩素臭、ウィルスや細菌の殺菌時や他の溶液と混合した時に発生する有害なガス（トリハロメタン）の発生などが無く、作業者やマットレス使用者への人体の安全性も解決することができる。
【００１４】
続いて、ステップＳ３００として、安定型次亜塩素酸ナトリウムをスチーム噴射する工程を実施する。
【００１５】
このステップでは、高温スチーム洗浄機２０のカートリッジ（不図示）などに安定型次亜塩素酸ナトリウムを充填し、マットレス１０に対して、安定型次亜塩素酸ナトリウムをスチーム噴射する。これにより、マットレス１０の内部において、短時間で感染力の強いウィルスや細菌を殺菌することができる。図２は作業者が高温スチーム洗浄機２０を用いる様子を示す図である。
【００１６】
続いて、ステップＳ４００として、クリーニング用中性洗剤の散布し、マットレス１０からの汚水を吸引する工程を実施する。これにより、マットレス１０表面及び内部における汚れを浮き上がらせて、除去する。
【００１７】
続いて、ステップＳ５００  安定型次亜塩素酸ナトリウムをスチーム噴射し、マットレス１０からの汚水を吸引する工程を実施する。このように、再度、安定型次亜塩素酸ナト
リウムをスチーム噴射する工程を設けることで、マットレス１０の表面及び内部における殺菌を完璧にする。
【００１８】
ステップＳ６００として、マットレス１０を乾燥機で乾燥する乾燥工程を実施する。図３は本発明の実施形態に係るマットレスのクリーニング方法の乾燥工程を示す図である。乾燥室３０外には不図示の乾燥機が設けられており、乾燥室３０内にマットレス１０を乾燥することができるようになっている。このような乾燥室３０としては、車両に搭載されているものを用いることで、例えば、出張によるマットレスのクリーニングなどを実施することができる。また、自然乾燥や高温ドライヤーなどを用い手作業による乾燥も可能である。
【００１９】
以上のような本発明に係るマットレスのクリーニング方法によれば、マットレス１０に安定型次亜塩素酸ナトリウムをスチーム噴射する安定型次亜塩素酸ナトリウムスチーム噴射工程を有しており、このような本発明に係るマットレスのクリーニング方法によれば、煩雑な工程を要することなく、感染力の強いウィルスや細菌を殺菌することができる。
【符号の説明】
【００２０】
１０・・・マットレス
１５・・・マットレス設置台
２０・・・高温スチーム洗浄機
３０・・・乾燥室
【図１】
2015104714.tif 000003
【図２】
2015104714.tif 000004
【図３】
2015104714.tif 000005